(57)【要約】【課題】読取ピッチむらが発生するのを防止して原稿を読み取るようにする。【解決手段】画像読取装置は、原稿を流し読みガラス上の読み取り位置Ｂを通過させて原稿の画像を読み取るようになっており、読み取り位置Ｂより原稿搬送方向の上流の流し読みガラス上に原稿を案内するスジ対策シート１８を備えている。スジ対策シートの下流端部１８ａは、原稿搬送方向に対して直交する幅方向の中央部と端部の位置が原稿搬送方向に対して異なる位置に形成され、下流端部を通過する原稿の後端が時間差をもって流し読みガラスに接触するようになっている。これによって、原稿の後端が幅方向全域で同時に強く流し読みガラスに当接するのを抑えて、読取ピッチむらの発生を防止することができる。【選択図】図５
2012134704.tif 000002
【特許請求の範囲】
【請求項１】
原稿を透明部材の読み取り位置を通過させて原稿の画像を読み取る画像読取装置において、
前記読み取り位置より原稿搬送方向の上流の前記透明部材に原稿を案内するガイドを備え、
前記ガイドの原稿搬送方向の下流端部は、前記原稿搬送方向に対して直交する幅方向の中央部と端部の位置が前記原稿搬送方向に対して異なる位置に形成されて、前記下流端部を通過する原稿の後端が時間差をもって透明部材に接触するようにした、
ことを特徴とする画像読取装置。
【請求項２】
前記ガイドの下流端部は、前記幅方向の両端部が中間部より前記原稿搬送方向の下流に位置して形成されている、
ことを特徴とする請求項１に記載の画像読取装置。
【請求項３】
前記ガイドの下流端部は、前記幅方向の両端部が中間部より前記原稿搬送方向の上流に位置して形成されている、
ことを特徴とする請求項１に記載の画像読取装置。
【請求項４】
前記ガイドの下流端部は、前記幅方向の中間部に対して一方の端部が前記上流に位置し他方の端部が前記原稿搬送方向の下流に位置して前記原稿搬送方向に対して斜めに形成されている、
ことを特徴とする請求項１に記載の画像読取装置。
【請求項５】
前記ガイドの下流端部は、円弧状に形成されている、
ことを特徴とする請求項２又は３に記載の画像読取装置。
【請求項６】
前記ガイドは、前記透明部材と一体に形成されている、
ことを特徴とする請求項１乃至５のいずれか１項に記載の画像読取装置。
【請求項７】
請求項１乃至６のいずれか１項に記載の画像読取装置と、
前記画像読取装置に読み取られた原稿の画像をシートに形成する画像形成部と、を備えた、
ことを特徴とする画像形成装置。
【発明の詳細な説明】
【技術分野】
【０００１】
本発明は、原稿を読み取る画像読取装置と、この画像読取装置を備えた画像形成装置とに関する。
【背景技術】
【０００２】
従来、シートに画像を形成する複写機、プリンタ等の画像形成装置は、画像読取装置で読み取った原稿の画像を複写するようになっている。図８に示すように、従来の画像読取装置９０２は、自動原稿搬送部によって読取部の透明部材としての流し読みガラス９０４の上に自動的に送り込まれてくる原稿を読取部で読み取って、画像情報を画像形成装置の装置本体に送るようになっている。この読み取り方を流し読みと言う。
【０００３】
ところが、原稿には塵埃が付着していることがある。塵埃は、原稿が流し読みガラスを通過するとき流し読みガラスに付着して、読取部に読み取られることがある。読み取られた塵埃は、画像形成装置の装置本体でシートに原稿を複写するとき、複写画像にスジとなって複写されることになり、複写画像の画質の低下原因になる。
【０００４】
そこで、従来の画像読取装置は、流し読みガラスの画像読取位置Ｂより距離Ｘ３だけ上流に帯状のシート部材９１８を原稿搬送方向に対して直交する向きに貼り付けられて、流し読みガラスの表面に段部が形成されていた（特許文献１）。帯状のシート部材９１８は、シート部材上を通過する原稿の下面に下流端部の角で接触して、原稿に付着した塵埃を除去するようになっている。この場合、シート部材は、厚みが厚く読みガラスに対して段差が高くなる程、下流端部の角の高さが高くなり、シート部材の塵埃を除去する確率が高くなる。
【先行技術文献】
【特許文献】
【０００５】
【特許文献１】特開２００２−３１４７５３号公報
【発明の概要】
【発明が解決しようとする課題】
【０００６】
しかし、原稿の後端は、シート部材の下流端部の角を通過して流し読みガラスに当接したときの衝撃によって上下に振動することがある。このため、従来の画像読取装置は、原稿の読取ピッチにむらが生じていた。
【０００７】
しかも、シート部材９１８の下流端部９１８ａは、原稿搬送方向に対して直角にかつ直線状に形成されている。このため、原稿の後端は、シート部材９１８の下流端部９１８ａを通過したとき、原稿の後端全体が一度に流し読みガラス９０４に当接して、激しく上下に振動することがあった。特に、厚みが厚く剛性の高い原稿は、シート部材を通過したとき、流し読みガラスに強く当接して大きく振動することがあった。このため、従来の画像読取装置は、厚みの厚い原稿を読み取るとき読取ピッチにむらが生じていた。
【０００８】
そこで、シート部材の厚みを薄くして段差を低くすれば原稿の振動を少なくして、読取ピッチのむらを少なくすることができる。しかし、このような画像読取装置は、シート部材の下流端部の角で塵埃を除去する確率が低くなり、複写画像にスジが付いて、複写画像の画質を低下させるおそれがある。
【０００９】
したがって、従来の画像読取装置は、原稿の塵埃を除去する確率を高くすることと、読取ピッチのむらを少なくすることの両立が困難であった。
【００１０】
本発明は、原稿の塵埃を除去する確率を高くすることと、読取ピッチのむらを少なくすることとを両立できる画像読取装置と、この画像読取装置を備えた画像形成装置とを提供することにある。
【課題を解決するための手段】
【００１１】
本発明の画像読取装置は、原稿を透明部材の読み取り位置を通過させて原稿の画像を読み取る画像読取装置において、前記読み取り位置より原稿搬送方向の上流の前記透明部材に原稿を案内するガイドを備え、前記ガイドの原稿搬送方向の下流端部は、前記原稿搬送方向に対して直交する幅方向の中央部と端部の位置が前記原稿搬送方向に対して異なる位置に形成されて、前記下流端部を通過する原稿の後端が時間差をもって透明部材に接触するようにした、ことを特徴とする。
【発明の効果】
【００１２】
本発明の画像読取装置におけるガイドは、ガイドの上を通過する原稿に付着した塵埃を下流端部で除去する。この場合、ガイドの下流端部が原稿搬送方向に対して直交する幅方向の中央部と端部の位置が前記原稿搬送方向に対して異なる位置に形成されている。このため、ガイドの下流端部を通過する原稿の後端は、透明部材に一度に当接しないで、時間差をもって透明部材に接触することになり、従来よりも振動が少なくなる。
【００１３】
この結果、本発明の画像読取装置は、読取ピッチのむらが少なくない状態で、原稿を読み取ることができる。また、本発明の画像読取装置は、原稿の後端の振動を少なくすることができることによって、ガイドの厚みを従来よりも多少高くすることができて、その分、塵埃を除去する確率を高くすることができる。
【００１４】
本発明の画像形成装置は、原稿に付着した塵埃を効率良く除去し、かつ原稿の後端の振動を少なくして原稿の画像を読み取る画像読取装置によって読み取られた画像情報に基づいてシートに画像を複写するため、複写画像の画質を向上させることができる。
【図面の簡単な説明】
【００１５】
【図１】本発明の実施形態の画像読取装置のシート搬送方向に沿った断面図である。
【図２】本発明の実施形態の画像読取装置の原稿搬送方向に沿った断面図である。
【図３】画像読取装置の部分拡大図である。
【図４】原稿自動搬送装置を取り除いた画像読取装置の平面図であり、流し読みガラスとスジ対策シートの位置関係を示した図である。
【図５】本発明の実施形態における各種のスジ対策シートの平面図である。
【図６】本発明の実施形態のスジ対策シートによって塵埃を外側に排出することができることの説明用の図である。
【図７】本発明の実施形態の画像読取装置において、全長を短くすることのできる説明用の図である。
【図８】従来の画像読取装置の流し読みガラスとシート部材との部分を示した平面図である。
【発明を実施するための形態】
【００１６】
以下、本発明の実施形態の画像読取装置と、この画像読取装置を備えた画像形成装置とを図に基づいて説明する。なお、本実施形態において示す数値は参考数値であって、本発明を限定する数値ではない。
【００１７】
図１は、本発明の実施形態の画像読取装置のシート搬送方向に沿った断面図である。
【００１８】
画像形成装置１０１は、例えば複写機であり、装置本体１０１Ａと、装置本体の上部に備えられた画像読取装置１０２とで構成されている。
【００１９】
画像読取装置１０２は、原稿の画像を光学的に読み取って電気信号に変換し、電気信号に基づいて画像データを作成するようになっている。画像形成装置の装置本体１０１Ａは、画像データに基づいてシートに複写画像を形成するようになっている。
【００２０】
（画像形成装置の装置本体）
画像形成装置１０１の装置本体１０１Ａは、原稿の画像の電気信号や画像データに基づいて露光部２３を作動させて、回転する感光体ドラム２１の表面に静電潜像を形成する。静電潜像は、現像器２４で現像（トナーを供給）されてトナー画像となる。
【００２１】
一方、画像形成装置の装置本体１０１Ａの下部には、各種サイズのシートＰを装填したシート収容部１９ａ，１９ｂ，１９ｃ，１９ｄが配置される。シート収容部１９ａ，１９ｂ，１９ｃ，１９ｄのシートＰは、それぞれ給送ローラ２０ａ，２０ｂ，２０ｃ，２０ｄによって１枚ずつ取り出され、搬送ローラ３１へ受け渡される。シートは、トレイ１９ｅからも搬送ローラ３１へ受け渡されるようになっている。
【００２２】
その後、シートＰは、レジストローラ対３６によって斜行を真っ直ぐに矯正されて、かつ感光体ドラム２１上のトナー画像と位置を合わされて、感光体ドラム２１と転写帯電器２５との間に供給される。シートＰは、転写帯電器２５によって感光体ドラム上のトナー画像を転写され、分離帯電器２６によって感光体ドラム２１から分離される。
【００２３】
クリーナ２７は、トナー画像を転写した感光体ドラム２１の表面をクリーニングする。そして、帯電器２２は、次の露光に備えて感光体ドラム２１の表面を帯電する。
【００２４】
一方、トナー画像を転写されたシートＰは、搬送部２８によって定着器２９へ搬送され、定着器２９で加熱と加圧を受けて表面にトナー画像を定着される。そして、トナー画像が定着されたシートＰは、排出トレイ３０に排出される。
【００２５】
以上の構成において、感光体ドラム２１、帯電器２２、現像器２４等は、画像形成部３３を形成している。
【００２６】
（画像読取装置）
図２は、本発明の実施形態の画像読取装置の原稿搬送方向に沿った断面図である。図３は、画像読取装置の部分拡大図である。
【００２７】
画像読取装置１０２（図１）は、画像形成装置の装置本体１０１Ａの上部に設けられた画像読取部１と、画像読取部１の上に設けられた原稿自動搬送装置（以下、ＡＤＦと言う）２とで構成されている。画像読取装置１０２は、画像形成装置の装置本体１０１Ａ内に設けられた制御部３２の制御によって作動するようになっている。
【００２８】
画像読取部１（図２）は、原稿を固定読み方式で読み取る第１原稿読取部Ｒ１と、原稿を流し読み方式で読み取る第２原稿読取部Ｒ２とを有している。固定読み方式は、原稿の形態の自由度が高い書籍や雑誌等の本の他に、立体物も読み取ることができるようになっている。これに対して、流し読み方式は、大量のシート状の原稿を短時間で自動的に読み取ることができるようになっている。
【００２９】
なお、固定読みとは、原稿台ガラス３に本や立体物を載置して白色圧板１４で覆い固定した状態で、原稿台ガラス３の下を、画像読取センサ５を図２において左から右に移動させて本や立体物を読み取ることを言う。また、流し読みとは、原稿を流し読みガラス４の上面を通過させながら、流し読みガラス４の下に停止させてある画像読取センサ５で読み取ることを言う。
【００３０】
画像読取部１の上部には、原稿や本或いは立体物を載置できる固定読み用の透明な原稿台ガラス３が設けられ、原稿台ガラス３に隣接して流し読み用の原稿の原稿面を案内する透明な流し読みガラス４が設けられている。
【００３１】
流し読みガラス４には、奥行き方向の幅（原稿搬送方向に対して直交する方向の長さ）が原稿台ガラス３の幅と略等しい細長いガラス板が使用されている。流し読みガラス４の下方には、流し読みガラス４の奥行き方向の幅と略同じ長さの棒状の画像読取センサ５が配置されている。
【００３２】
画像読取センサ５は、原稿の原稿面の画像を読み取るセンサであり、原稿台ガラス３の下を図２において左右方向に移動して、原稿台ガラス３に載置された原稿を走査してライン読みするようになっている。また、画像読取センサ５は、流し読みガラス４の画像読取位置Ｂの真下に停止して、流し読みガラス４の上面を通過する原稿をライン読みするようになっている。
【００３３】
画像読取センサ５(図３)は、流し読みガラス４の下から流し読みガラス越しに原稿を照射する照明素子６、照明素子による原稿の反射光を集光する光学レンズ７、光学レンズの結像位置に配置されたイメージセンサ８等がケーシング９に納められて形成されている。ケーシング９は、摺動性の高い不図示のスペーサを介して流し読みガラス４に突き当てられている。
【００３４】
画像読取センサ５は、原稿面から所定の距離をおいて配置されている。照明素子６には、細い線状のキセノン管や、発光源であるＬＥＤ及び導光体が使用されている。また、画像読取センサ５は、照明素子６が原稿を照射した反射光をセルフォックレンズ等の光学系を介して、原稿を光学的に読み取るようになっている。
【００３５】
図２において、ＡＤＦ２は、画像読取部１の上部に蝶番によって画像読取部１に対して上下方向に回転するように取り付けられている。このため、ＡＤＦ２は、原稿台ガラス３と流し読みガラス４との上面を開閉できるようになっている。ＡＤＦ２は、原稿載置部１０に載置された原稿Ｄを、搬送ローラ１１ａで１枚ずつ取り込み、搬送ローラ１１ｂ，１１ｃ，１１ｄ，１１ｅで搬送して、流し読みガラス４の上を通過させて、搬送ローラ１１ｆから原稿排出部１３へ排出するようになっている。原稿は、流し読みガラス４の上を通過しているとき、流し読みガラス４の下方に停止している画像読取センサ５によって画像を読み取られる。
【００３６】
図３において、ＡＤＦ２の流し読みガラス４の上方には、流し読み時に流し読みガラス４から原稿が浮き上がるのを防止するプラテンローラ１２が設けられている。プラテンローラ１２は、流し読みガラス４の上面から所定の間隔（約０．２ｍｍ）を隔てて原稿の裏面を受け止め、定速回転して原稿を案内するようになっている。プラテンローラ１２は、流し読みガラス４からの原稿面の浮き量を制限して、原稿の画像面を光学レンズ７の焦点高さに位置決めし、ボケやブレの無い高品位な画像読み取りができるようにしている。
【００３７】
プラテンローラ１２（図３）に隣接する上流には、原稿搬送方向と直交する帯状の白色シート部材１６が配置されている。白色シート部材１６は、プラテンローラ１２の外周の一部分を覆って画像読取範囲を平坦にしている。プラテンローラ１２と白色シート部材１６は、表面の色が反射率約１００％の白色であり、原稿の透明度が異なっても画像面の明るさをほぼ一定に確保している。
【００３８】
図３に示すように、流し読みの場合、画像読取センサ５は、流し読みガラス４の下側で、光学レンズ７がプラテンローラ１２の中心Ａから距離Ｘ２だけ上流の画像読取位置Ｂに停止するようになっている。この画像読取位置Ｂは、プラテンローラ１２の直下から下流のゴミを避けて、プラテンローラ１２が原稿に張力を与えて原稿の振動が比較的少ない位置である。
【００３９】
固定読みの場合、原稿台ガラス３に置かれた原稿は、ＡＤＦ２（図２）に取り付けられた白色圧板１４により原稿台ガラス３に押し付けられて、画像読取センサ５が所定の速度で副走査方向（図２の左右方向）に移動することによって画像を読み取られる。固定読みの場合、ＡＤＦ２の全体が原稿を原稿台ガラス３上に押し付ける圧板として機能し、画像読取センサ５の原稿読取精度を高めるようになっている。
【００４０】
これに対し、流し読みの場合の原稿Ｄは、図２のＡＤＦ２の原稿載置部１０に積載されて、搬送ローラ１１ａ，１１ｂ，１１ｃ，１１ｄにより順送りされ、所定の速度でプラテンローラ１２の下へ送り込まれる。そして、原稿Ｄは、図３に示すように、所定の回転数で回転するプラテンローラ１２によって流し読みガラス４の上面からの浮き上がり量を規制された状態で、画像読取位置Ｂに停止している画像読取センサ５によって画像を読み取られる。すなわち、原稿は、プラテンローラ１２と流し読みガラス４との隙間を搬送されながら、画像読取センサ５によって読み取られる。このとき、原稿は、照明素子６によって画像読取範囲を照明されて、反射光が光学レンズ７によってイメージセンサ８へ投影され、イメージセンサ８に直線状に配置された受光素子によって線画像として読み取られる。
【００４１】
プラテンローラ１２を通過した原稿は、ジャンプ台１５によって図２の搬送ローラ１１ｅへ案内され、搬送ローラ１１ｆから原稿排出部１３へ排出される。
【００４２】
ところで、プラテンローラ１２（図３）の中心Ａの直下は、プラテンローラ１２と流し読みガラス４との間隔に規制されて画像読取位置Ｂよりも原稿高さを精密に設定できる。しかし、プラテンローラ１２の中心Ａの直下や搬送方向下流の流し読みガラス４の上面には、塵埃が付着しやすい。付着した塵埃は、読み取られて、複写画像にスジとなって形成される。
【００４３】
そこで、本実施形態の画像読取装置１０２は、複写画像にスジが付かないようにするため、画像読取位置Ｂの僅か上流の流し読みガラス４上に厚さ約０．４ｍｍのスジ対策シート１８を備えている。このスジ対策シート１８は、スジ対策シート１８を擦るようにして通過する原稿に付着している塵埃を下流端部１８ａの角１８ｂ（図３（Ｂ））で掻き取るようになっている。
【００４４】
なお、図３（Ａ）に示したスジ対策シート１８は、画像読取装置の構成を明瞭にするため、流し読みガラス４から浮かして記載してあるが、流し読みガラス４に貼り付けられているものとする。また、スジ対策シート１８の下流端部１８ａは、画像読取位置Ｂから大分離れているが、図４の平面図に示すように画像読取位置Ｂに近いものとする。
【００４５】
図４は、ＡＤＦ２を取り除いた画像読取装置１０２の平面図であり、流し読みガラス４とスジ対策シート１８の位置関係を示した図である。
【００４６】
スジ対策シート１８の原稿搬送方向の下流端部（図４では右端）１８ａは、幅方向の両端部１８ａａ，１８ａｂが中間部としての中央部１８ａｃより原稿搬送方向の下流に位置して上流にへこんだ円弧形状に形成されている。なお、両端部１８ａａ，１８ａｂの一方の端部１８ａａを奥部、他方の端部１８ａｂを手前部とも言う。画像読取位置Ｂの読取ラインＲＬからスジ対策シートの下流端部の奥部１８ａａ及び手前部１８ａｂまでの距離をＸ４とし、読取ラインＲＬから下流端部１８ａの中央部１８ａｃまでの距離をＸ５とすると、Ｘ４＜Ｘ５に設定されている。因みに、Ｘ５−Ｘ４＝約３ｍｍである。
【００４７】
スジ対策シート１８の下流端部１８ａの円弧状と、対策シート１８の厚みによって生じる流し読みガラス４に対する段差とによって、原稿の後端は次のようにして流し読みガラス４に接触する。
【００４８】
すなわち、最初に、原稿の後端部の幅方向（原稿搬送方向に対して直交する方向）の中央部がスジ対策シート１９の中央部１８ａｃを通過して、流し読みガラス４に接触する。このとき、原稿の下流端部の幅方向の両端部は、まだ、スジ対策シート１８の奥部１８ａａと手前部１８ａｂに載っており、流し読みガラス４に接触していない。そして、原稿の後端部は、原稿が搬送されるにしたがって、中央部から両端部にかけて、順次、流し読みガラス４に接触する。最後、原稿の後端部の両端部が、スジ対策シート１８の奥部１８ａａ及び手前部１８ａｂを通過して、流し読みガラス４に接触する。
【００４９】
このように、原稿の後端部は、スジ対策シート１８を通過するとき時間差をおいて流し読みガラス４に接触することになる。
【００５０】
なお、スジ対策シートは、原稿の後端部が時間差をおいて流し読みガラス４に接触するようになっていればよいので、次のような形状のものもある。
【００５１】
図５（Ａ）に示すスジ対策シート１８は、以上説明したものである。
【００５２】
図５（Ｂ）に示すスジ対策シート１１８の原稿搬送方向の下流端部（図５では右端）１１８ａは、Ｖ次状に上流にへこんだ形状に形成されている。
【００５３】
図５（Ｃ）に示すスジ対策シート２１８の下流端部２１８ａは、矩形状に上流にへこんだ形状に形成されている。
【００５４】
スジ対策シート１１８，２１８は、読取ラインＲＬからスジ対策シートの奥部１１８ａａ，２１８ａａ及び手前部１１８ａｂ，２１８ａｂまでの距離Ｘ４と、読取ラインＲＬから中央部１１８ａｃ，２１８ａｃまでの距離Ｘ５とがＸ４＜Ｘ５に設定されている。
【００５５】
また、図５（Ｄ）に示すスジ対策シート３１８の下流端部３１８ａは、下流に円弧状に突出している。このスジ対策シート３１８は、読取ラインＲＬからスジ対策シートの奥部３１８ａａ及び手前部３１８ａｂまでの距離Ｘ４と、読取ラインＲＬから中央部３１８ａｃまでの距離Ｘ５とがＸ４＞Ｘ５に設定されている。
【００５６】
さらに、図５（Ｅ）に示すスジ対策シート４１８は、幅方向の中間部に対して一方の端部が上流に位置し他方の端部が原稿搬送方向の下流に位置して原稿搬送方向に対して斜めに形成されている。すなわち、スジ対策シート４１８の下流端部４１８ａは、斜面になっており、読取ラインＲＬからスジ対策シートの奥部４１８ａａまでの距離Ｘ４と、手前部４１８ａｂまでの距離Ｘ６とがＸ４＜Ｘ６に設定されている。そして、読取ラインＲＬから中央部４１８ａｃまでの距離Ｘ５は、（（Ｘ４＋Ｘ６）／２）に設定されている。
【００５７】
以上のガイドとしてのスジ対策シートの下流端部１８ａ，１１８ａ，２１８ａ，３１８ａ，４１８ａは、原稿搬送方向の位置が搬送方向に対して直交する幅方向にて異なる非直交形状に形成されている。すなわち、スジ対策シートの下流端部は、原稿搬送方向に対して直交する幅方向の中央部と端部の位置が原稿搬送方向に対して異なる位置に形成されている。このため、スジ対策シートの下流端部１８ａ，１１８ａ，２１８ａ，３１８ａ，４１８ａは、下流端部を通過する原稿の後端が流し読みガラス４に一度に当接しないで、時間差をもって当接するようにしている。
【００５８】
よって、画像読取装置は、いずれかのスジ対策シート１８，１１８，２１８，３１８，４１８を備えることによって、シートの後端の振動を少なくして読取ピッチのむらが少ない、原稿読み取り行える。また、画像読取装置は、原稿の後端の振動を少なくすることができることによって、スジ対策シートの厚みを従来よりも多少厚くして下流端部の角の高さを高くすることができ、その高くした分だけ、塵埃を除去する確率を高くすることができる。
【００５９】
また、このような画像読取装置１０２を備えた画像形成装置１０１は、ひずみが少なく、かつ塵埃によるスジの少ない高品質の複写画像をシートに形成することができる。
【００６０】
なお、図５（Ａ）、（Ｂ）に示すスジ対策シート１８，１１８は、原稿の後端と協働して、図６（Ａ）、（Ｂ）に示すように塵埃を流し読みガラスから流し読みガラスの幅方向に排出する塵埃排出機能を備えている。
【００６１】
すなわち、原稿Ｇの後端Ｇｅは、スジ対策シートの中央部１８ａｃ，１１８ａｃを通過するとき、中央部Ｇａから幅方向の両端部Ｇｃに順次流し読みガラスに接触しながら、流し読みガラス上の塵埃Ｅを矢印方向に押し出すようにして外側に排出する。
【００６２】
また、図５（Ｅ）に示すスジ対策シート４１８も同様な塵埃排出機能を備えている。ただし、図５（Ｅ）に示すスジ対策シート４１８の場合は、塵埃を手前部４１８ａｂから奥部４１８ａａに送るようになっている。
【００６３】
このため、図５（Ａ）、（Ｂ）、（Ｅ）に示すスジ対策シート１８，１１８，４１８のいずれかを備えた画像読取装置は、塵埃を読み取ることが少なくなる。
【００６４】
スジ対策シート１８，１１８，２１８，３１８，４１８は、原稿搬送方向に対して直交する方向の長さが約３０ｃｍであり、流し読みガラス４に接着剤で取り付けられているか、或いは流し読みガラス４と一体に形成されている。ただし、接着剤で取り付けた方が、スジ対策シートを正確な形状に形成にすることができ、かつ距離Ｘ４，Ｘ５を正確にして流し読みガラスに取り付けることができる。
【００６５】
また、透明部材として流し読みガラスを取り上げたが、流し読みガラスは、アクリル樹脂製であってもよい。アクリル樹脂製にすると、スジ対策シートを一体に成型することができて、部品点数を少なくすることができる。
【００６６】
以上、説明した画像読取装置１０２は、プラテンローラ１２の径を小さくして周辺のシート搬送路３５（図７）の曲率半径を小さくすることができる。すなわち、シート搬送路３５の曲率半径を小さくすると、原稿もシート搬送路３５にしたがって曲率半径が小さくなり、原稿の後端がスジ対策シートに対する角度（図３（Ｂ）のγ）が大きくなり、流し読みガラス４に当接する勢いが強くなる。しかし、画像読取装置は、スジ対策シートがシートの後端の振動を少なくするようになっているので、シート搬送路３５の曲率半径を小さくても、原稿の後端が流し読みガラス４に当接する勢いを弱くして、読取ピッチのむらの少ない読み取りを行うことができる。
【００６７】
このように、画像読取装置１０２は、プラテンローラ１２の径を小さくして周辺のシート搬送路３５の曲率半径を小さくすることができるので、図７（Ａ）、（Ｂ）に示すように、プラテンローラ１２を通過した原稿の傾斜角度をβからαに大きくすることができる。この結果、画像読取位置Ｂから原稿排出部１３までの距離をＸｂからＸａに短くすることができ、全体として、画像読取装置の全長をＸｃ（＝Ｘｂ−Ｘａ）だけ短くして、画像読取装置を小型にすることができる。
【符号の説明】
【００６８】
Ｄ：原稿、Ｅ：塵埃、４：流し読みガラス（透明部材）、１８，１１８，２１８，３１８，４１８：スジ対策シート（ガイド）、１８ａ，１１８ａ，２１８ａ，３１８ａ，４１８ａ：スジ対策シート（ガイド）の下流端部、１８ａａ，１１８ａａ，２１８ａａ，３１８ａａ，４１８ａａ：スジ対策シートの奥部、１８ａｂ，１１８ａｂ，２１８ａｂ，３１８ａｂ，４１８ａｂ：スジ対策シートの手前部、１８ａｃ，１１８ａｃ，２１８ａｃ，３１８ａｃ，４１８ａｃ：スジ対策シートの中央部（中間部）、１８ｂ：スジ対策シートの角、３３：画像形成部、４１８ａ：下流端部（斜面）、１０１：画像形成装置、１０１Ａ：複写機の装置本体、１０２：画像読取装置
【図１】
2012134704.tif 000003
【図２】
2012134704.tif 000004
【図３】
2012134704.tif 000005
【図４】
2012134704.tif 000006
【図５】
2012134704.tif 000007
【図６】
2012134704.tif 000008
【図７】
2012134704.tif 000009
【図８】
2012134704.tif 000010